(57)【要約】【課題】  電源電線との接続ターミナルやコンデンサなど電気部品の収納部を広くするとともに、組立て性の良い換気装置を得る。【解決手段】  換気装置の接続ターミナルなど電子部品を本体枠の内壁の近傍に配置し、また、本体枠に内蔵され換気風路を形成するファンケーシングの風路外に収納カバーを備え、収納カバーは本体枠の内壁に面する側は開放して形成し、接続ターミナルなど電子部品を囲むとともに、収納カバーの開放した側の端部が本体枠の内壁と当接するよう構成している。【選択図】  図４
2013185807.tif 000002
【特許請求の範囲】
【請求項１】
グリルを装着する下面を開口した箱状の本体枠と、
前記本体枠の側面に備えた排気口と、
前記本体枠の下面の開口から前記排気口に向かう気流を形成する送風機と、
前記送風機による気流を前記排気口から屋外に連通するダクトと、
前記排気口に備え前記ダクトと接続するダクト接続枠と、
前記ダクト接続枠は、天井開口の野縁などに取付けるフランジ部を備えた固定板と、前記ダクトと接続するダクト接続部を備えたスライド板と着脱可能に構成し、
前記固定板と前記スライド板が所定方向にスライド可能に備えたことを特徴とする換気装置。
【請求項２】
前記固定板と前記スライド板は、前記天井開口の面に対し垂直方向にスライド可能に着脱することを特徴とする請求項１記載の換気装置。
【請求項３】
前記固定板に備え前記スライド板のスライド時に案内溝となるスライドリブ受け側と、
前記スライド板に備え前記スライドリブ受け側に嵌るスライドリブを形成したことを特徴とする請求項１、２いずれか記載の換気装置。
【請求項４】
前記固定板上部に備え前記スライド板を所定の位置に案内し固定板と密着させるガイドリブを設けたことを特徴とする請求項１〜３いずれか記載の換気装置。
【請求項５】
前記スライド板と前記固定板とのスライド時に、前記スライド板の上下に設け前記スライド板の高さ寸法を変更可能とする薄肉部を形成したことを特徴とする請求項１〜４いずれか記載の換気装置。
【発明の詳細な説明】
【技術分野】
【０００１】
本発明は、室内の空気の入れ替えに用いられる換気装置に関するものである。
【背景技術】
【０００２】
従来、天井構造や壁構造に埋め込み、室内の空気を換気する換気装置が用いられている。中でも室内天井に取り付けられる換気装置は、下面に室内空気を吸い込む吸込口となる開口部を有し、開口部周囲には天井に取り付けるフランジを本体側面に形成している。一方室内天井には、換気装置を取り付ける開口と、この開口周囲に野縁で枠組みし、換気装置のフランジとネジなどで固定する。また、換気装置の本体側面にはダクト接続枠を備え、ダクトに接続する吐出口と、天井開口周囲の野縁に固定するフランジ部を形成している。
近年、室内空間を広くするために天井を高く設定することで、換気装置本体よりも先に配設、施工するダクトの取り付け位置が、正規位置よりも高い場合や、ダクトが梁や構造体に干渉する場合の対応としてダクト接続枠にダクト径を変化させるジョイナーを使う方法が開示されている（特許文献１）。
また、前述したダクトの室内側の終端位置が、ダクト接続枠よりも高い場合には換気装置本体側への下り勾配となるため、室内側へ結露水が逆流するといった問題点に対する従来技術として、あらかじめケーシングやダクト接続枠自体に換気装置の外郭に向けて下り勾配となるよう成形する方法が提案されている（特許文献２）。
【０００３】
【特許文献１】特開２００５-９７２０号公報
【特許文献２】特開平６−２０７７３３号公報
【発明の開示】
【発明が解決しようとする課題】
【０００４】
特許文献１では、ダクト径をジョイナーで変化させることから、ダクトの屈曲およびダクト径の急縮小あるいは急拡大により、ダクト部の圧力損失が大きくなり騒音が高くなるといった問題や、所定の換気風量を確保できないといった問題があった。また、さらには施工する際にその特殊な形状から、施工上の制約が多く、施工しにくいといった課題があった。
一方特許文献２に示すものは、通常の施工をすることで、換気装置からダクト接続枠を介し屋外ダクトへつながる部分まで下り勾配が得られる構造であるが、天井内に配設したダクト位置とダクト接続枠の位置が異なる場合は施工できないという問題があった。また、この対策のため、予め配設するダクト配管の位置をある程度規制する必要があった。
【０００５】
本発明は，上記の課題を解決し、ダクト径を変化させることなく野縁や天井高さの変更にフレキシブルに対応し、施工性に優れたダクト接続枠を有した換気装置を得ることを目的とする。
【課題を解決するための手段】
【０００６】
上記課題を解決するために、本発明は、グリルを装着する下面を開口した箱状の本体枠と、前記本体枠の側面に備えた排気口と、前記本体枠の下面の開口から前記排気口に向かう気流を形成する送風機と、前記送風機による気流を前記排気口から屋外に連通するダクトと、前記排気口に備え前記ダクトを接続するダクト接続枠と、前記ダクト接続枠は、天井開口に取り付けるフランジ部を備えた固定板と、前記ダクトと接続するダクト接続部を備えたスライド板と着脱可能に構成し、前記固定板と前記スライド板が所定方向にスライド可能に備えたものである。
【発明の効果】
【０００７】
本発明は、換気装置の施工時において、換気装置本体よりも先に配設しているダクトの高さ位置と、ダクト接続枠との高さが若干異なっていても、ダクト接続枠を容易に施工することが可能である。また、ダクト接続枠施工時に、ダクトとダクト接続枠との高さを合わせるため、野縁などの天井構成部材の高さを加工することなく、施工時間の短縮を図ることができる。さらには、ダクト接続枠の高さを調整することでダクトが屋外方向へ下り勾配となるよう施工できることから、不快な結露水が給気口から室内に逆流して滴下するのを防止できるという効果を奏する。
【図面の簡単な説明】
【０００８】
【図１】図１は、本発明の実施の形態１に示す換気装置本体を吐出口側から見た斜視図である。
【図２】図２は、本発明の実施の形態１に示す、換気装置とダクトが接続された設置状態を示す縦断面図である。
【図３】図３は、図１のダクト接続枠部分を分解して示した分解斜視図である。
【図４】図４は、本発明の実施の形態１に示すダクト接続枠の固定板を室外側から見た状態を示す斜視図である。
【図５】図５は、本発明の実施の形態１に示すダクト接続枠のスライド板を室外側から見た状態を示す斜視図である。
【図６】図６は、本発明の実施の形態１に示すダクト接続枠の固定板とスライド板の固定に用いる固定ピンを示す拡大斜視図である。
【図７】図７は、本発明の実施の形態１に示すダクト接続枠を吐出口側から見た斜視図であり、ダクト接続口を供えたスライド板が最下端位置の状態を示す図である。
【図８】図８は、本発明の実施の形態１に示すダクト接続枠を吐出口側から見た斜視図であり、スライド板（ダクト接続口）が中心（標準）位置の状態を示す図である。
【図９】図９は、本発明の実施の形態１に示すダクト接続枠を吐出口側から見た斜視図であり、スライド板（ダクト接続口）が最上端位置の状態を示す図である。
【図１０】図１０は，本発明の実施の形態１に示すダクト接続枠の固定板を裏側（換気装置側）から見た状態を示す斜視図である。
【図１１】図１１は、本発明の実施の形態１に示すダクト接続枠のスライド板を裏側（換気装置側）から見た状態を示す斜視図である。実施の形態１  以下、本発明の実施の形態１について図面を参照して説明する。まず、換気装置の構成について説明する。図１はこの発明の換気装置をダクト接続口側から見た斜視図である。図２は換気装置にダクトが接続された施工状態を示す縦断面図である。
【０００９】
図１、図２に示すように、本発明の換気装置１は本体の大半が天井裏空間に臨むように建物の天井開口４３に枠組した野縁４０に取り付けられ、吸込んだ室内の空気はダクト１２を介して室外へ排気する。
【００１０】
換気装置１の本体を形成する本体枠６は箱型の形状をし、住宅室内の天井面に取り付けている。本体枠６は、施工や、点検、清掃などのメンテナンスは住宅の室内側から行なえるよう下面は開口している。本体枠６の開口部６ａには天井面に沿って装着される化粧グリル３１を備え、化粧グリル３１には室内空気の吸込み口３１ａを形成している。化粧グリ３１は本体枠６の内部にあるファンケーシング２２、多翼遠心羽根１７などを室内側から見た時に視覚的に隠し、意匠性を向上させている。なお、化粧グリル３１は、施工時、メンテナンスなどの場合は簡単に取り外せるよう換気装置１に着脱自在に固定している。開口部６ａの端は本体枠６の側壁から周囲に水平上に屈曲したフランジ部４２を有しており、このフランジ部４２よりビス（図示なし）などで天井構造１０に設けた開口４３に取り付ける。この取り付けは、開口４３に枠組した野縁４０に固定している。
【００１１】
本体枠６の内部には送風機１５と、本体枠６の一側の排気口６ｂに係脱可能に装着されるダクト接続枠２３を設けている。送風機１５は、本体枠６の下面の開口部６ａから本体枠６の側面排気口６ｂに向かう排気流を形成するもので、送風機１５のファンケーシング２２の外壁は、本体枠６の外郭を形成する。ファンケーシング２２の中央には吸込口１１を形成し、本体枠６の下面の開口部６ａのほぼ中央に位置するよう配置している。ファンケーシング２２の内部にはモータ１６を設け、モータ１６の回転軸には多翼遠心羽根１７を備えている。室内空気をダクト１２を介して換気する場合、ダクト１２の配管による圧力損失（抵抗）があるため、圧力の確保できる多翼遠心羽根１７を用いる。
【００１２】
ファンケーシング２２の吸込口近傍には、化粧グリル３１に備えた固定バネ３２を支持するバネ支持部２６を対向して設けている。バネ支持部２６はファンケーシング２２より突出して設け、固定バネ３２の開脚した二本のバネ脚部３２ａを掛止めしている。固定バネ３２は通常では、バネ脚部３２ａが開く方向に力がかかっており化粧グリル３１は天井の野縁４０側に密着するようになっている。また、化粧グリル３１を外す場合は、化粧グリル３１を室内側から引き下げると、バネ脚部３２ａは閉じる方向にスライドする。次に化粧グリル３１と野縁４０との隙間から指を入れバネ脚部３２ａを摘んでバネ脚部３２ａを閉じ、先端に設けた係止部３２ｂをバネ支持部２６から外すことで化粧グリル３１を換気装置１から外す。このように、化粧グリル３１は特別な工具を用いないで換気装置１に容易に着脱でき、また固定バネ３２による固定であることから、天井を構成する天井材の厚さが多少変化しても容易に対応可能としている。
【００１３】
ダクト接続枠２３は本体枠６の一側の面に設け本体枠６を室内側からスライドすることで着脱自在に固定している。これは、住宅施工時において、天井構造１０の工事はダクト１２を配管した後に天井材を張ることに対応している。つまり、ダクト１２の配管時にダクト接続枠２３も接続しておいて、天井材の施工後に本体枠６を室内側から挿入することでダクト接続枠２３と本体枠６は確実に固定可能としている。また、メンテナンスや製品交換する場合にもダクト接続枠６とダクト１２を外すことなく、本体枠６を天井構造１０から外すことが可能となり、施工時のみでなくメンテナンス時においても作業性が良い。
【００１４】
ダクト接続枠２３のダクト１２と接続するダクト接続口３ａの外形は、径の異なる段状に形成している。これは，配管するダクト１２の内径が異なっても対応できることやテーピングなどの作業性を考慮し段状にしている。ダクト接続枠２３の内部には、円盤状のシャッター２４を備え、送風機１５の風圧で開閉する構成となっている。シャッター２４は、換気装置１が運転時には風圧で開き、停止時はシャッター２４の自重でダクト接続枠２３の開口を閉鎖する。なお、図１に示すようにシャッター２４は支点を水平から若干斜めにして設け、シャッター２４が開く際の荷重（自重）を低減し、開きやすくしている。このようにシャッター２４を設けることで、換気装置１の停止時に屋外からの外風や、雨水が室内に侵入するのを防止することができる。またシャッター２４を斜めにすることで、常時換気時の小風量でも開くことができる。
ダクト１２は、屋外まで延びており建物の屋外外壁に備えたフードなどと連結し、住宅内の空気を換気する換気風路を形成している。
【００１５】
次に本発明のダクト接続枠２３の構造について詳細に説明する。
図３は、この発明の換気装置１をダクト接続口側から見た図１の斜視図のダクト接続枠２３を分解した斜視図であり、図４はダクト接続枠２３を構成する固定板２を、図５はスライド板３、図６は、固定板２、スライド板３の結合に用いられる固定ピン５を示したものである。
図３〜図６に示すように、ダクト接続枠２３は、固定板２とスライド板３とで構成され、それぞれは固定ピン５により結合している。図４のように固定板２は平板部２ｇと辺２ｆによる薄箱状で形成している。このように薄箱状とすることで、単に平板状のものよりも強度を向上し、天井内にあるダクト１２との接続時において、多少捻り、引っ張り等力が加わっても破損しないよう強度を確保している。平板部２ｇの中央にスライド板３のダクト接続部３ａを挿入する開口２ｄを設け、一端側に平板部２ｇより鉛直に突出したフランジ２ｅを形成する。また、フランジ部２ｅに相対する他端側には、換気装置１の本体枠６と係止（図示なし）する換気装置受け部２ａを設ける。
【００１６】
スライド板３は図５に示すように、平板状の平板部３ｅの中央に室内天井に配設したダクトと接続するダクト接続部３ａを配している。なお、平板部３ｅとダクト接続部３ａはテーパー部３ｄを介して形成している。また、テーパー部３ｄは、平板部３ｅより略四角状に突出し、ダクト接続部３ａの円周状につながるよう緩やかに形状を除変している。このように、テーパー部３ｄを設けることで、換気装置１の吹き出し部と、ダクト１２を滑らかに接続できることから、風路の急縮小、急拡大がなく圧力損失が抑えられるとともに、騒音も軽減できる。
【００１７】
次にダクト接続枠２３の組立てについて説明する。スライド板３のダクト接続部３ａを固定板２の中央の開口２ｄに通し、スライド板３の両側に供えたスライドリブ３ｃと固定板２の両側に備えたスライドリブ受け側２ｃと合わせる。スライドリブ３ｃとスライドリブ受け側２ｃとを設けることで、スライド板３と固定板２の位置あわせを容易にし、また、スライド板３を上下にスライドする際の案内をすることで、スライド板３の動きをスムーズにできる。また、固定板２の裏側上部には、スライド板３の平板部３ｅの上部先端を所定の位置に案内するガイドリブ２ｈを備える。ガイドリブ２ｈは、換気装置１側の辺を長く、固定板２側の辺は短い逆三角形状とし、スライド板３の平板部３ｅの上部先端をガイドリブ２ｈに差し込むことで、スライド板３は正規の位置になるとともに、固定板２と密着するよう案内している。このようにすることで、ダクトを配設した天井裏の閉暗所においても作業を確実にできる。
【００１８】
スライド板３と固定板２との固定について説明する。スライド板３のテーパー部３ｄの両側には、平面部３ｅとの合わせ部に嵌合リブ３ｇを設けている。この嵌合リブ３ｇが固定板２の開口２ｄに嵌まりこみ固定する。なお、さらに確実に固定するために、固定ピン５を用いる。スライド板３の上部両側に、ピン用穴３ｂを設け、固定板の上部両側のピン用穴３ｂに対応した位置にピン受け部２ｂを備えている。スライド板３の裏側（換気装置１側）より、ピン５をピン用穴３ｂに通し、固定板２のピン受け部２ｂに差し込む、この際、ピン５の先端に備えた抜け止め５ａがピン受け部２ｂに引っ掛かることでピン５は容易に抜けることを防止する。なお、固定ピンの終端には円周状に突出したストッパー５ｂを備え、このストッパー５ｂと抜け止め５ａにより固定板２とスライド板３の固定は確実にできる。スライド板３のピン用穴３ｂは、スライド板３の高さ位置を可変しても対応できるよう上下に長い長穴としている。固定ピン５の先端は半月状に形成し、また、ピン用穴３ｂを円形状、ピン受け部２ｂを半月形状とすることで。ピン５は差し込みやすくなることと、樹脂成型の精度によりピン５の挿抜が固くなるのを防ぐと共に、ピン５の回動動作を防ぎ、容易に抜けることを防止している。
【００１９】
図７は、スライド板３（ダクト接続口３ａ）が固定板２に対し最下端位置の状態を示す図であり、図８は、スライド板３（ダクト接続口３ａ）が中心（標準）位置の状態を示す図である。また、図９は、スライド板３（ダクト接続口３ａ）が最上端位置の状態を示す図である。
このように、スライド板３が上下にスライドすることで、ダクト１２の高さが多少ばらついていてもダクト１２と、ダクト接続口３ａの接続、施工が容易となる。また、ダクト１２の配設に際し室外への傾きもとりやすく、ドレン水の逆流などない換気装置を得ることができる。
【００２０】
ここで、ダクト接続部３ａを上下にスライドさせた場合に、固定板２の開口部２ｄは、スライド板３のパイプ接続部３ａの外周に設けた平板部３ｅと重なることにより、排出する空気が天井裏に漏れないように、オーバーラップにより閉塞させる必要がある。オーバーラップ代は大きければ大きいほど空気漏れが少ないが、製品の大きさを小さくし、かつ、空気漏れを極力抑えることから、オーバーラップ代としては１０ｍｍ程度確保する必要がある。よって、オーバーラップする平板部３ｅの，片側の最小寸法Ｌは，以下の（１）式となる。
Ｌ＝可動範囲＋１０（ｍｍ）  …（１）
【００２１】
固定板２とスライド板３のオーバーラップ代を考慮すれば，（１）式に示す最小Ｌ寸法を平板部３ｅの上下に設ける必要があり、スライド板３は必然的に大きくなる。これを回避するために、図１１に示すように樹脂性のスライド板３の平板部３ｅの一辺に、あらかじめＶ溝３ｆによる薄肉部を形成する。このＶ溝３ｆは不要な部分を特殊な工具類を使用することなく切り取ることができるので、オーバーラップ代によるダクト接続枠２３のサイズアップを回避することが可能となる。例えばスライド板３を最上端にスライドさせた場合においても、換気装置１の全高を高くさせることなく，高さ調整が可能となる。なお、スライド板３の平板部の下辺に，Ｖ溝３ｆによる薄肉部を形成しておくことも可能である。
【００２２】
スライド板３の可動範囲は特に制限されるものでないが、スライド板の可動範囲を大きくすることで、オーバーラップ代を含めた寸法も大きくなり、製品高さが大きくなり、天井裏高さとの干渉が考えられる。このため、スライド板３のスライド距離は概ね５０ｍｍ以下でも充分有効である。
【００２３】
以上のように、本発明にかかる換気装置は、ダクト接続枠を備えた換気装置において,ダクト接続枠のダクト接続部を上下にスライド動作させることで、ダクト施工時の高さを容易に調整できる、換気装置に有用である。
【符号の説明】
【００２４】
１  換気装置
２  固定板、２ａ  換気装置受け部、２ｂ  ピン受け部、２ｃ  スライドリブ受け側
２ｄ  開口部、２ｅ  フランジ、２ｆ  辺、２ｇ  平面部、２ｈ  ガイドリブ
３  スライド板、３ａ  ダクト接続部、３ｂ  ピン用穴、３ｃ  スライドリブ、
３ｄ  テーパー部、３ｅ  平面部、３ｆ  Ｖ溝、３ｇ  嵌合リブ
５  固定ピン、５ａ  抜け止め、５ｂ  ストッパー
６  本体枠、６ａ  開口部、６ｂ  排気口
１０  天井構造
１１  吸込口、１２  ダクト、１５  送風機、１６  モータ、１７  多翼遠心羽根
２２  ファンケーシング
２３  ダクト接続枠
２４  シャッター、２６  バネ支持部、３１  化粧グリル、３１ａ  吸込口
３２  固定バネ、３２ａ  バネ脚部、３２ｂ  係止部
４０  野縁、４２  フランジ部、４３  開口（野縁）
【図１】
2013185807.tif 000003
【図２】
2013185807.tif 000004
【図３】
2013185807.tif 000005
【図４】
2013185807.tif 000006
【図５】
2013185807.tif 000007
【図６】
2013185807.tif 000008
【図７】
2013185807.tif 000009
【図８】
2013185807.tif 000010
【図９】
2013185807.tif 000011
【図１０】
2013185807.tif 000012
【図１１】
2013185807.tif 000013